(57)【要約】【課題】  ウインドウ面の状況を考慮して洗浄液の過剰供給を防止する車両用ウォッシャ駆動制御装置及び車両用ウインドウウォッシャ装置を提供する。【解決手段】  ウォッシャスイッチ２１のオン操作に基づいて洗浄液をウインドウガラス１に向けて噴射させる車両用ウインドウウォッシャ装置Ｗにおいて、オン操作が前回のオフ操作から設定時間Ｔｓ以内に行われたか否かを判定するウォッシャスイッチ判定手段２２と、洗浄液の噴射時間を設定する噴射時間設定手段２４と、設定された噴射時間に応じてウォッシャモータ１１を駆動するウォッシャモータ駆動手段２５とを備え、噴射時間設定手段２４は、オン操作が前回のオフ操作から設定時間Ｔｓ以内に行われた場合に噴射時間を第１設定時間ｔ１に設定し、オン操作が前回のオフ操作から設定時間Ｔｓを経過後に行われた場合に噴射時間を第１設定時間ｔ１よりも長い第２設定時間ｔ２に設定する。【選択図】    図２
2007045187.tif 000002
【特許請求の範囲】
【請求項１】
ウォッシャスイッチのオン操作に基づいてウォッシャモータを駆動して洗浄液を車両ウインドウガラスに向けて噴射させる車両用ウォッシャ駆動制御装置において、
前記ウォッシャスイッチのオン操作が前回の前記ウォッシャスイッチのオフ操作から所定時間以内に行われたか否かを判定するウォッシャスイッチ判定手段と、
該ウォッシャスイッチ判定手段の判定に基づいて洗浄液の噴射時間を設定する噴射時間設定手段と、
該噴射時間設定手段によって設定された噴射時間に応じて前記ウォッシャモータを駆動するウォッシャモータ駆動手段と、を備え、
前記噴射時間設定手段は、ウォッシャスイッチのオン操作の継続時間が所定時間以内であるとき、もしくは連続噴射指令位置にオン操作されていないときには、前記ウォッシャスイッチ判定手段によって、前記ウォッシャスイッチのオン操作が前回の前記ウォッシャスイッチのオフ操作から所定時間以内に行われたと判定された場合に洗浄液の噴射時間を第１設定時間に設定し、前記ウォッシャスイッチのオン操作が前回の前記ウォッシャスイッチのオフ操作から前記所定時間を経過した後に行われたと判定された場合に洗浄液の噴射時間を前記第１設定時間よりも長い第２設定時間に設定することを特徴とする車両用ウォッシャ駆動制御装置。
【請求項２】
ワイパモータの作動状態を判定するワイパ作動判定手段を備え、
前記噴射時間設定手段は、前記ワイパ作動判定手段によって、ワイパモータが作動状態であると判断された場合には、洗浄液の噴射時間を前記第２設定時間よりも短い第３設定時間に設定することを特徴とする請求項１に記載の車両用ウォッシャ駆動制御装置。
【請求項３】
前記噴射時間設定手段は、ウォッシャスイッチのオン操作の継続時間が所定時間を超えているとき、もしくは連続噴射指令位置にオン操作されているときには、洗浄液の噴射時間をウォッシャスイッチのオン操作の継続時間に対応して設定することを特徴とする請求項１又は２に記載の車両用ウォッシャ駆動制御装置。
【請求項４】
ウォッシャスイッチのオン操作に基づいてウォッシャモータを駆動して洗浄液を車両ウインドウガラスに向けて噴射する車両用ウインドウウォッシャ装置において、
請求項１〜３のいずれか１項に記載の車両用ウォッシャ駆動制御装置と、
ワイパモータを駆動制御してワイパを払拭動作させるワイパ駆動制御装置と、を備え、
該ワイパ駆動制御装置は、ウォッシャスイッチのオン操作に基づいた前記ウォッシャモータ駆動手段による前記ウォッシャモータの駆動開始後にワイパモータを駆動すると共に、前記ウォッシャモータの駆動停止後もワイパを少なくとも１回以上払拭動作させることを特徴とする車両用ウインドウウォッシャ装置。
【発明の詳細な説明】
【技術分野】
【０００１】
本発明は車両用ウォッシャ駆動制御装置及び車両用ウインドウウォッシャ装置に係り、特にウォッシャスイッチのオン操作に基づいてワイパと連動して洗浄液を車両ウインドウガラスに向けて噴射する車両用ウォッシャ駆動制御装置及び車両用ウインドウウォッシャ装置に関する。
【背景技術】
【０００２】
従来、ウォッシャスイッチのオン操作によって洗浄液の噴射とワイパの作動とを連動して行わせ、洗浄液の噴射終了後もワイパによって少なくとも１回の払拭動作を連続的に行わせるように構成された車両用ウインドウウォッシャ装置が知られている（例えば、特許文献１参照）。
さらに、特許文献１に記載の車両用ウインドウウォッシャ装置では、ワイパの作動終了後に所定の間隔時間が経過すると、ワイパを再度作動させるように構成されている。これにより、車両ウインドウガラス上方から垂れ落ちてくる洗浄液をも確実に拭き取ることができる。
【０００３】
【特許文献１】特開平５−１８５９０８号公報
【発明の開示】
【発明が解決しようとする課題】
【０００４】
しかしながら、特許文献１に記載の車両用ウインドウウォッシャ装置のように、洗浄液の噴射終了後に１回以上のワイパによる払拭作動を行わせたにもかかわらず、車両ウインドウガラス上方から洗浄液が垂れ落ちてくるということは、洗浄液を過剰供給していることが原因であると考えられる。
このような洗浄液の過剰噴射は無駄であって、車両ウインドウガラス上方から洗浄液が垂れ落ちてくるといった悪影響をもたらすだけでなく、タンク内に貯留された洗浄液の使用量が多くなることにより、結果的にタンク規定容量の拡大を要求されるといったおそれがある。
【０００５】
本発明の目的は、上記課題に鑑み、車両ウインドウガラス面の状況を考慮した供給量の洗浄液を噴射することにより、洗浄液の過剰供給を防止することができる車両用ウォッシャ駆動制御装置及び車両用ウインドウウォッシャ装置を提供することにある。
【課題を解決するための手段】
【０００６】
前記課題は、本発明によれば、ウォッシャスイッチのオン操作に基づいてウォッシャモータを駆動して洗浄液を車両ウインドウガラスに向けて噴射させる車両用ウォッシャ駆動制御装置において、前記ウォッシャスイッチのオン操作が前回の前記ウォッシャスイッチのオフ操作から所定時間以内に行われたか否かを判定するウォッシャスイッチ判定手段と、該ウォッシャスイッチ判定手段の判定に基づいて洗浄液の噴射時間を設定する噴射時間設定手段と、該噴射時間設定手段によって設定された噴射時間に応じて前記ウォッシャモータを駆動するウォッシャモータ駆動手段と、を備え、前記噴射時間設定手段は、ウォッシャスイッチのオン操作の継続時間が所定時間以内であるとき、もしくは連続噴射指令位置にオン操作されていないときには、前記ウォッシャスイッチ判定手段によって、前記ウォッシャスイッチのオン操作が前回の前記ウォッシャスイッチのオフ操作から所定時間以内に行われたと判定された場合に洗浄液の噴射時間を第１設定時間に設定し、前記ウォッシャスイッチのオン操作が前回の前記ウォッシャスイッチのオフ操作から前記所定時間を経過した後に行われたと判定された場合に洗浄液の噴射時間を前記第１設定時間よりも長い第２設定時間に設定することにより解決される。
【０００７】
このように本発明では、ウォッシャスイッチのオン操作が所定の短時間以内だけ継続操作されたとき、もしくは連続噴射指令位置にオン操作されていないときで、このオン操作が前回のウォッシャスイッチのオン操作による洗浄液の供給から所定時間が経過して行われた場合は、ウインドウガラス面が乾燥状態もしくはほとんど湿り気のない状態であると判断して、比較的長い第２設定時間だけ洗浄液を噴射して十分であるが過剰ではない程度に洗浄液を供給するように構成されている。
【０００８】
一方、ウォッシャスイッチのオン操作が所定の短時間以内だけ継続操作されたとき、もしくは連続噴射指令位置にオン操作されていないときで、このオン操作が前回のウォッシャスイッチのオン操作による洗浄液の供給から所定時間以内に行われた場合は、ウインドウガラス面が湿り気状態もしくは半湿り気状態であると判断して、第２設定時間よりも短い第１設定時間だけ洗浄液を噴射するように構成されている。この場合、ウインドウガラス面が湿り気状態もしくは半湿り気状態であるので、洗浄液の供給量が少量であっても十分な洗浄液の供給量となり、洗浄液の過剰供給を防止することができる。
【０００９】
また、ワイパモータの作動状態を判定するワイパ作動判定手段を備え、前記噴射時間設定手段は、前記ワイパ作動判定手段によって、ワイパモータが作動状態であると判断された場合には、洗浄液の噴射時間を前記第２設定時間よりも短い第３設定時間に設定すると好適である。
本発明では、ワイパモータが作動状態であるということは雨が降ってウインドウガラス面が湿り気状態にあるものと判断し、第２設定時間よりも短い第３設定時間だけ洗浄液を噴射するように構成されている。この場合、ウインドウガラス面は湿り気状態であるので、洗浄液の供給量が少量であっても十分な洗浄液の供給量となり、洗浄液の過剰供給を防止することができる。
【００１０】
また、前記噴射時間設定手段は、ウォッシャスイッチのオン操作の継続時間が所定時間を超えているとき、もしくは連続噴射指令位置にオン操作されているときには、洗浄液の噴射時間をウォッシャスイッチのオン操作の継続時間に対応して設定すると好適である。
本発明では、操作者がウォッシャスイッチを所定時間以上、すなわち、長時間オン操作し続けているとき、もしくは連続噴射指令位置にオン操作されたときには、ウインドウガラス面に多くの洗浄液を噴射する必要があるものと判断し、オン操作の継続時間に対応して洗浄液を噴射し続けるように構成されている。例えば、ウインドウガラス面の汚れがひどいような場合には多くの洗浄液が必要となり、オン操作時間の間中、洗浄液を供給し続けることができる。
【００１１】
また、ウォッシャスイッチのオン操作に基づいてウォッシャモータを駆動して洗浄液を車両ウインドウガラスに向けて噴射する車両用ウインドウウォッシャ装置において、請求項１〜３のいずれか１項に記載の車両用ウォッシャ駆動制御装置と、ワイパモータを駆動制御してワイパを払拭動作させるワイパ駆動制御装置と、を備え、該ワイパ駆動制御装置は、ウォッシャスイッチのオン操作に基づいた前記ウォッシャモータ駆動手段による前記ウォッシャモータの駆動開始後にワイパモータを駆動すると共に、前記ウォッシャモータの駆動停止後もワイパを少なくとも１回以上払拭動作させると好適である。
【００１２】
本発明では、ウォッシャスイッチのオン操作の間隔に応じて洗浄液の噴射量を可変としているので、洗浄液の過剰供給を防止することができる。そして、洗浄液を供給するときには、供給開始後にワイパが作動し、供給停止後に少なくとも１回以上ワイパが払拭動作してから停止するように構成されている。
【発明の効果】
【００１３】
本発明の車両用ウォッシャ駆動制御装置及び車両用ウインドウウォッシャ装置によれば、ウォッシャスイッチのオン操作の間隔の長短に応じて車両ウインドウガラス面の状況を判断して、ウインドウガラス面への洗浄液の供給量を異ならせており、ウインドウガラス面が湿り気状態もしくは半湿り気状態と判断されるときには、洗浄液の供給量を少量に設定している。これにより、ウインドウガラス面の状況に応じて、洗浄液の過剰供給を防止することができる。
【発明を実施するための最良の形態】
【００１４】
以下、本発明の一実施形態を図面に基づいて説明する。なお、以下に説明する部材，配置等は本発明を限定するものでなく、本発明の趣旨の範囲内で種々改変することができるものである。
図１〜図７は本発明の一実施形態に係るものであり、図１は車両用ウインドウウォッシャ装置の構成図、図２はウォッシャ駆動制御装置の構成図、図３〜図５は車両用ウインドウウォッシャ装置の作動のタイミングチャート、図６はウォッシャ駆動制御装置の処理フロー、図７はワイパ駆動制御装置の処理フローである。
【００１５】
図１に本発明の一実施形態に係る車両用ウインドウウォッシャ装置Ｗ（以下「ウォッシャ装置Ｗ」という）の全体構成図を示す。本例のウォッシャ装置Ｗは、ウインドウガラス１へ洗浄液を噴射すると共に、これと連動してワイパブレード４２を往復払拭動作させることによってウインドウガラス１の表面を払拭するものである。
本例のウォッシャ装置Ｗは、ウォッシャタンク１２に取付けられたウォッシャモータ１１と、ウォッシャモータ１１を駆動制御するウォッシャ駆動制御装置２０と、ワイパモータ３０と、ワイパモータ３０の作動によって往復払拭動作を行うワイパ４０と、ワイパモータ３０を駆動制御するワイパ駆動制御装置５０とを主要構成要素としている。
【００１６】
本例のウォッシャ駆動制御装置２０は、ウォッシャスイッチ２１のオン操作に基づいてウォッシャモータ１１を作動させ、所定条件に応じて噴射時間を異ならせることによって異なる噴射量の洗浄液をウインドウガラス１の表面へ供給するように構成されている。
本例のウォッシャスイッチ２１は、モーメンタリスイッチであり、操作している間だけ接点２１ａ，２１ｂが橋絡されるようになっている。ウォッシャスイッチ２１の一方の接点２１ａには、ヒューズ７０，イグニッションスイッチ７１を介して車載バッテリ７２の正極端子が接続され、他方の接点２１ｂには、ウォッシャ駆動制御装置２０が接続されている。車載バッテリ７２の負極端子は車体に接地されている。これにより、ウォッシャスイッチ２１がオン操作されると、ウォッシャ駆動制御装置２０へオン信号が入力されようになっている。
また、この車載バッテリ７２の正極端子は別途、ウォッシャ駆動制御装置２０に接続され、ウォッシャ駆動制御装置２０は車載バッテリ７２から電源供給を受けている。
【００１７】
ウォッシャモータ１１は、洗浄液を貯留するウォッシャタンク１２に併設されており、これらは車両のエンジンルーム内に配設されている。ウォッシャモータ１１には、ホース１３の一端が接続されており、ホース１３の他端は車体パネル又はワイパ４０（ワイパアーム４１又はワイパブレード４２）に配設されたウォッシャノズル１４に連結されている。
ウォッシャモータ１１が作動すると、ウォッシャタンク１２内の洗浄液はホース１３を介してウォッシャノズル１４側へ圧送される。これにより、ウォッシャノズル１４からウインドウガラス１へ向けて洗浄液が所定噴射パターンで噴射される。
【００１８】
本例のワイパ駆動制御装置５０は、ワイパスイッチ６０のスイッチ操作に基づいてワイパモータ３０を作動させるように構成されている。また、本例のワイパ駆動制御装置５０は、ウォッシャスイッチ２１のスイッチ操作に基づくウォッシャモータ１１の作動に連動して、ワイパ４０を作動させるように構成されている。
ワイパ駆動制御装置５０の端子５０ａには、ウォッシャ駆動制御装置２０と同様に、ヒューズ７０，イグニッションスイッチ７１を介して車載バッテリ７２の正極端子が接続されている。これにより、イグニッションスイッチ７１がオン状態であればワイパ駆動制御装置５０へ電源が供給される。
【００１９】
ワイパ駆動制御装置５０は、ワイパモータ駆動手段５１と、間欠駆動手段５２と、ウォッシャ作動判定手段５３とを備えている。
ワイパモータ駆動手段５１は、ワイパスイッチ６０の操作位置に応じて電源電圧が接続された電源入力端子である端子５０ａと電源出力端子である端子５０ｉとの間を接続または遮断して、ワイパモータ３０を駆動または停止させる。
間欠駆動手段５２は、ワイパスイッチ６０がＩＮＴ（間欠作動）位置に操作されたときに、所定時間間隔毎に端子５０ａと端子５０ｉとの間を所定動作時間だけ接続して、所定時間間隔でワイパブレード４２を往復払拭動作させる。
ウォッシャ作動判定手段５３は、ウォッシャ駆動制御装置２０からウォッシャモータ１１を駆動していることを表わすウォッシャ作動信号を受け取って、このウォッシャモータ１１の作動に連動してワイパモータ３０を作動させるものである。
【００２０】
本例のワイパスイッチ６０は、ＯＦＦ（停止）位置，ＩＮＴ（間欠作動）位置，ＯＮ（作動）位置に操作可能に構成されている。ワイパスイッチ６０は、接点６０ａ，６０ｂ，６０ｃを有しており、ＯＦＦ位置では接点６０ａ〜６０ｃは互いに電気的に接続されない分断状態にある。ワイパスイッチ６０がＯＮ位置に操作されると、接点６０ａと接点６０ｃが接続される。また、ワイパスイッチ６０がＩＮＴ位置に操作されると、接点６０ａと接点６０ｂが接続される。
接点６０ａは車体に接地されており、接点６０ｂ，６０ｃはそれぞれワイパ駆動制御装置５０の端子５０ｂ，５０ｃへ接続されている。なお、ワイパ駆動制御装置５０は、端子５０ｄで車体に接地されている。
【００２１】
また、ワイパスイッチ６０の接点６０ｂ，６０ｃは、それぞれウォッシャ駆動制御装置２０に接続されている。これにより、ウォッシャ駆動制御装置２０は、後述するようにワイパスイッチ６０が作動位置（ＯＮ位置，ＩＮＴ位置）に操作されているか否か（すなわち、ＯＦＦ位置以外に操作されているか否か）を判定することが可能となる。すなわち、ワイパスイッチ６０がＯＮ位置またはＩＮＴ位置に操作されると、接点６０ｂ，６０ｃが接地されるので、この電位の低下によってウォッシャ駆動制御装置２０は、ワイパスイッチ６０が操作位置に操作されたことを判定することができる。
【００２２】
本例のワイパモータ３０は、ワイパモータ本体３１と、ワイパ定位置停止スイッチ３２を主要構成要素としている。
本例のワイパモータ本体３１は、電源供給することにより所定の一方向のみへ回転するブラシモータと、ブラシモータの回転出力を減速する減速機構とを備えており、出力軸がリンク機構４４に接続されている。ワイパモータ本体３１の一方側のブラシ３１ａは、ノイズ防止用のチョークコイル３４を介してワイパ駆動制御装置５０の電源供給端子である端子５０ｉに接続されており、他方側のブラシ３１ｂは、過熱保護素子３３を介してワイパ駆動制御装置５０の接地端子である端子５０ｆに接続されている。
【００２３】
ワイパ駆動制御装置５０の端子５０ｉはワイパモータ本体３１の作動時に端子５０ａと接続され、端子５０ｉには車載バッテリ７２の正極電圧が印加される。一方、端子５０ｆは常時、車体に接地されている。これにより、ワイパモータ本体３１の作動時には、ブラシ３１ａが正極，ブラシ３１ｂが負極となる。
過熱保護素子３３はワイパモータ本体３１が所定温度以上の過熱状態または所定電流値以上の過電流状態となったときに供給電源を遮断して、ワイパモータ本体３１の焼損保護を行うためのものであり、常時は、閉状態（接続状態）となっている。
【００２４】
本例のワイパモータ本体３１は、リンク機構４４を介してピボット軸４３に駆動力を伝達するように構成されている。リンク機構４４は、ワイパモータ本体３１の出力軸による回転運動を往復揺動運動に変換するものである。ピボット軸４３は、先端が車体パネルの外側に突出するように車体パネルに回動可能に取付けられており、このピボット軸４３の先端にワイパ４０の基端部が固定されている。ワイパ４０は、ピボット軸４３の先端に連結されたワイパアーム４１と、ワイパアーム４１の先端側に装着されたワイパブレード４２から構成される。
【００２５】
ワイパモータ本体３１が回転すると、出力軸による回転運動がリンク機構４４によって往復揺動運動に変換され、ピボット軸４３が往復回動する。このピボット軸４３の往復回動により、ワイパ４０が往復払拭動作を行う。これにより、ワイパブレード４２が第１位置（停止位置）Ａと第２位置Ｂとのあいだで往復揺動して扇形状の払拭面２を払拭する。
【００２６】
ワイパ定位置停止スイッチ３２は、可動接点がワイパモータ本体３１の出力軸に連動して回転し、ワイパブレード４２が停止位置Ａにあるときには、接点３２ａと接点３２ｂとが橋絡（オフ状態：接点３２ａ−接点３２ｂが短絡）され、ワイパブレード４２が停止位置Ａ以外の位置にあるときには、接点３２ａと接点３２ｃとが橋絡（オン状態：接点３２ａ−接点３２ｃが短絡）されるように構成されている。
【００２７】
接点３２ｃはワイパ駆動制御装置５０の端子５０ｈと接続されている。この端子５０ｈはワイパモータ駆動手段５１を介して端子５０ａと接続されており、端子５０ｈには、常時、車載バッテリ７２の正極電圧が掛かっている。
接点３２ａはワイパ駆動制御装置５０の端子５０ｇに接続されている。この端子５０ｇは、間欠駆動手段５２に接続されると共に、少なくともワイパスイッチ６０がＯＦＦ位置にあるときにワイパモータ駆動手段５１を介して端子５０ｉに接続されるように構成されている。
接点３２ｂはワイパ駆動制御装置５０の端子５０ｆに接続されており、常時、車体に接地されている。
【００２８】
ワイパブレード４２が停止位置Ａに到達するまでワイパ定位置停止スイッチ３２はオン状態（接点３２ａ−接点３２ｃが短絡）となる。ワイパ定位置停止スイッチ３２がオン状態のときは、ワイパスイッチ６０がＯＦＦ位置に操作されていてもワイパモータ本体３１に対して電源が供給されるようになっている。すなわち、ワイパスイッチ６０がＯＦＦ位置にある場合は、電源電圧は、端子５０ａ，端子５０ｈ，接点３２ｃ，接点３２ａ，端子５０ｇ，端子５０ｉを介してワイパモータ本体３１のブラシ３１ａに印加され、ワイパブレード４２は停止位置Ａまで移動する。ワイパブレード４２が停止位置Ａまで移動したときに、ワイパ定位置停止スイッチ３２はオフ状態（接点３２ａと接点３２ｂが短絡）となる。
【００２９】
ワイパスイッチ６０がＯＦＦ位置であれば、ワイパ定位置停止スイッチ３２がオフ状態となることによって、端子５０ｉには電源電圧は掛からなくなるので、ワイパモータ本体３１に対する電源供給が遮断される。これにより、ワイパブレード４２は停止位置Ａまで移動した後、停止位置Ａに停止保持される。
【００３０】
ワイパスイッチ６０がＯＮ位置に操作されると端子５０ｃが接地され、ワイパモータ駆動手段５１は通常作動状態で作動する。すなわち、ワイパモータ駆動手段５１は端子５０ａと端子５０ｉを接続すると共に、端子５０ｆを端子５０ｄを介して接地状態に保持して、ワイパモータ本体３１を連続作動させる。
なお、ウォッシャモータ１１が駆動されたときには、ウォッシャ作動判定手段５３からオン信号がワイパモータ駆動手段５１へ出力される。これにより、ワイパスイッチ６０をＯＮ位置に操作したときと同様にワイパモータ本体３１が連続駆動される。そして、オン信号が出力されなくなると、ワイパモータ駆動手段５１は、ワイパブレード４２によって少なくとも１回以上の往復払拭動作を行わせるべく、端子５０ａと端子５０ｉの接続を所定時間保持した後、この接続を遮断する。
【００３１】
ワイパスイッチ６０がＩＮＴ位置に操作されると端子５０ｂが接地され、間欠駆動手段５２がワイパモータ駆動手段５１を間欠作動させる。すなわち、間欠駆動手段５２は、ワイパモータ駆動手段５１に所定時間毎に所定継続時間だけ端子５０ａと端子５０ｉとを接続させるように作動する。
【００３２】
端子５０ａと端子５０ｉが接続されてワイパモータ本体３１が作動してワイパブレード４２が停止位置Ａ以外に位置すると、ワイパ定位置停止スイッチ３２がオン状態となるので、この間は端子５０ｇを介して間欠駆動手段５２へ電源電圧が供給される。そして、再びワイパブレード４２が停止位置Ａに戻ってくると、ワイパ定位置停止スイッチ３２がオフ状態となり、端子５０ｇを介して間欠駆動手段５２へ電源電圧が供給されなくなる。このとき間欠駆動手段５２は、端子５０ａと端子５０ｉとを既に非接続状態としているので、ワイパモータ本体３１は停止状態となり、ワイパブレード４２は停止位置Ａに停止状態に保持される。
【００３３】
間欠駆動手段５２は、端子５０ｇを介して電源電圧が供給されなくなると、所定時間後に再び所定継続時間だけ端子５０ａと端子５０ｉとを接続させるように作動する。このようにして、ワイパスイッチ６０がＩＮＴ位置に操作されると、ワイパブレード４２が所定時間毎に往復払拭動作を繰り返す。
【００３４】
次に、図２に基づいて本例のウォッシャ駆動制御装置２０について説明する。本例のウォッシャ駆動制御装置２０は、ウォッシャスイッチ判定手段２２，ワイパ作動判定手段２３，噴射時間設定手段２４，ウォッシャモータ駆動手段２５を主要構成要素としている。
本例のウォッシャスイッチ判定手段２２は、ウォッシャスイッチ２１がオン操作されたときに、前回のオン操作から所定の時間Ｔｓが経過しているか否かを判定するものであり、オン操作されていることを表わすウォッシャスイッチオン信号を噴射時間設定手段２４へ出力すると共に、所定時間Ｔｓが経過していない場合には、オン操作されている間中、所定時間Ｔｓが経過していないことを表わす未経過信号を噴射時間設定手段２４へ出力する。
【００３５】
ウォッシャスイッチ判定手段２２は、ウォッシャスイッチ２１の接点２１ｂに接続されており、ウォッシャスイッチ２１がオフ状態のときはウォッシャスイッチ判定手段２２にはＬレベル信号が入力しているが、オン操作されオン状態となると電源電圧が掛かるためウォッシャスイッチ判定手段２２にはＨレベル信号が入力する。これにより、ウォッシャスイッチ判定手段２２はウォッシャスイッチ２１がオン操作されたことを検出する。
【００３６】
ウォッシャスイッチ判定手段２２は、オン操作が解除されてオフ操作されたことを検出すると、内部タイマをスタートさせる。そして、次にオン操作されたことを検出すると、内部タイマを停止させて前回のウォッシャスイッチ２１のオフ操作からの時間Ｔｉｎｔを算出する。そして、この時間Ｔｉｎｔが所定の時間Ｔｓ以下のときは未経過信号を出力する。
【００３７】
本例のワイパ作動判定手段２３は、ワイパスイッチ６０が作動位置にあるか否かを判定するものであり、作動位置にあると判定している間中、噴射時間設定手段２４へワイパ作動信号を出力する。
ワイパ作動判定手段２３は、ワイパスイッチ６０の接点６０ｂ，６０ｃに接続されている。この接点６０ｂ，６０ｃは、ワイパスイッチ６０がＩＮＴ位置，ＯＮ位置に操作されると接地される。したがって、ワイパ作動判定手段２３は、接点６０ｂ，６０ｃが接地されると、ワイパスイッチ信号としてＬレベル信号を接点６０ｂ，６０ｃから受け、それぞれワイパスイッチ６０がＩＮＴ位置，ＯＮ位置に操作されたと判定する。
【００３８】
本例の噴射時間設定手段２４は、洗浄液の噴射時間Ｔｓｐを設定して、この噴射時間Ｔｓｐの間中、ウォッシャモータ駆動手段２５に作動信号を出力し続けるものである。
噴射時間設定手段２４は、ウォッシャスイッチ判定手段２２からウォッシャスイッチ２１がオン操作されていることを示すウォッシャスイッチオン信号および未経過信号を受け、ワイパ作動判定手段２３からワイパスイッチ６０が作動位置に操作されていることを示すワイパ作動信号を受ける。
また、噴射時間設定手段２４は、ウォッシャスイッチオン信号によってウォッシャスイッチ２１のオン操作が設定時間Ｔ０を超えて長時間継続するものか所定の短時間以内（Ｔ０以内）のものであるかを判定する。また、噴射時間設定手段２４は、ワイパ作動信号によってワイパモータ３０が作動中であるか否かをモニターする。
【００３９】
そして、噴射時間設定手段２４は、ウォッシャスイッチ２１のオン操作の継続時間が短時間以内（Ｔ０以内）であって、ワイパモータ３０が作動中でない場合には、未経過信号を受け取っていたときには第１設定時間ｔ１（本例では、０．２秒）を噴射時間Ｔｓｐに設定し、未経過信号を受け取っていないときには第２設定時間ｔ２（本例では、０．５秒）を噴射時間Ｔｓｐに設定する。第２設定時間ｔ２は第１設定時間ｔ１よりも長い時間に設定されている。
【００４０】
すなわち、本例の噴射時間設定手段２４は、ワイパモータ３０が停止状態でウォッシャスイッチ２１のオン操作が所定の短時間以内（Ｔ０以内）だけ操作されたとき、前回の洗浄液供給から所定時間Ｔｓが経過している場合には、洗浄液の噴射時間Ｔｓｐを比較的長い第２設定時間ｔ２に設定する。すなわち、前回の洗浄液供給から長時間経過しているので、ウインドウガラス１面は乾燥状態もしくはほとんど湿り気のない状態となっていると想定される。したがって、本例では、この場合は十分であるが過剰ではない程度に洗浄液を供給するように第２設定時間ｔ２を噴射時間Ｔｓｐに設定している。
【００４１】
一方、本例の噴射時間設定手段２４は、ワイパモータ３０が停止状態でウォッシャスイッチ２１のオン操作が所定の短時間以内（Ｔ０以内）だけ操作されたとき、前回の洗浄液供給から所定時間Ｔｓが経過していない場合には、洗浄液の噴射時間Ｔｓｐを第２設定時間ｔ２よりも短い第１設定時間ｔ１に設定する。すなわち、前回の洗浄液供給から短時間しか経過していないので、ウインドウガラス１面は湿り気状態もしくは半湿り気状態となっていると想定される。
したがって、ウインドウガラス１面の状況から少量の洗浄液を噴射すれば十分であり、本例では、この場合は少量の洗浄液を供給するように第１設定時間ｔ１を噴射時間Ｔｓｐに設定している。これにより、洗浄液の過剰供給を防止してワイパブレード４２による複数回の往復払拭動作の後に、洗浄液が垂れ落ちてくるような不都合を回避することができる。また、過剰供給防止により、洗浄液をウォッシャタンク１２へ供給する頻度を低下させることができる。
【００４２】
また、本例の噴射時間設定手段２４は、ワイパモータ３０が作動中にウォッシャスイッチ２１のオン操作が所定の短時間以内（Ｔ０以内）だけ操作されたとき、噴射時間Ｔｓｐを第２設定時間ｔ２よりも短い第３設定時間ｔ３（本例では、０．２秒）に設定する。すなわち、ワイパモータ３０が作動中であるということは、例えば、雨が降っていてウインドウガラス１面がある程度の湿り気状態にあるということである。したがって、第２設定時間ｔ２よりも短い第３設定時間ｔ３を噴射時間Ｔｓｐに設定して少量の洗浄液を噴射させるようにしても、ウインドウガラス１面の状況から洗浄液の供給量は十分となる。これにより、洗浄液の過剰供給を防止することができる。
【００４３】
また、本例の噴射時間設定手段２４は、ウォッシャスイッチ２１のオン操作が短時間操作ではない場合は、噴射時間Ｔｓｐをオン操作の継続時間に合わせて設定する。すなわち、オン操作されている間中、洗浄液が噴射されるようにウォッシャモータ駆動手段２５に作動信号を出力し続ける。
操作者がウォッシャスイッチ２１を所定の短時間以上、すなわち、長時間オン操作し続けているということは、ウインドウガラス１面の汚れがひどく多くの洗浄液を要求しているということであるから、本例では、この場合はオン操作の間中、洗浄液を噴射し続けるように制御される。
【００４４】
本例のウォッシャモータ駆動手段２５は、設定された噴射時間Ｔｓｐに対応して噴射時間設定手段２４から出力される作動信号に基づいて、ウォッシャモータ１１へ駆動電圧を供給してウォッシャモータ１１を作動させる。例えば、第１設定時間ｔ１（本例では、０．２秒）が噴射時間Ｔｓｐに設定された場合は、この第１設定時間ｔ１の間中、ウォッシャモータ１１に対して駆動電圧が供給される。また、操作者がウォッシャスイッチ２１を長時間オン状態とした場合は、このオン状態の継続時間中、ウォッシャモータ１１に対して駆動電圧が供給される。
【００４５】
また、ウォッシャモータ駆動手段２５からウォッシャモータ１１へ供給される駆動電圧は、ウォッシャ作動信号としてワイパ駆動制御装置５０のウォッシャ作動判定手段５３へ端子５０ｅを介して印加される。ウォッシャ作動判定手段５３は、端子５０ｅの電圧レベルの上昇により、ウォッシャモータ１１の作動をモニターしている。
これにより、ウォッシャ作動判定手段５３は、ウォッシャモータ駆動手段２５からウォッシャモータ１１へ駆動電圧が供給され始めたときからわずかに遅れて、ワイパモータ駆動手段５１へオン信号を出力する。これにより、ワイパモータ駆動手段５１は、所定の遅れ時間後に、端子５０ａを端子５０ｉに接続してワイパモータ本体３１を作動させる。
【００４６】
そして、ウォッシャ作動判定手段５３は、ウォッシャモータ駆動手段２５からウォッシャモータ１１への駆動電圧の供給が停止された後、さらに少なくとも１回以上のワイパブレード４２による往復払拭動作をさせるためにオン信号を継続して出力した後、オン信号の出力を停止する。これにより、ワイパモータ駆動手段５１は、オン信号を受けている間は端子５０ａと端子５０ｉとの接続を継続し、オン信号を受けなくなったときにこの接続を切ってワイパモータ本体３１の作動を停止させる。
【００４７】
図３〜図５にウォッシャスイッチ２１の操作に基づく、ウォッシャモータ１１，ワイパモータ３０の作動のタイミングチャートを示す。
図３は、１回目のウォッシャスイッチ２１のオン操作から設定間隔時間Ｔｓ（５分）が経過した後に２回目のＯＮ操作が行われた状況を示している。この場合、１回目のウォッシャスイッチ２１のオン操作に応じて、ウォッシャモータ１１は第２設定時間ｔ２（０．５秒）だけ作動し、洗浄液を第２設定時間ｔ２の間、噴射する。そして、これに連動して、ワイパモータ３０がウォッシャモータ１１の作動開始からわずかに遅れて作動を開始し、ウォッシャモータ１１の作動終了から所定回数の往復払拭動作後に作動を停止する。
【００４８】
一方、ウォッシャスイッチ２１の２回目のオン操作は、１回目のオン操作に対応するオフ操作時から設定時間Ｔｓの経過後に行われている。すなわち、本例では、１回目のウォッシャスイッチ２１のオン操作に基づくパルス状のウォッシャスイッチオン信号の立下りから、２回目のオン操作に基づくウォッシャスイッチオン信号の立ち上がりまでの時間（Ｔｉｎｔ）が設定時間Ｔｓを超えているか否かを判定しており、図３の例は設定時間Ｔｓを超える場合である。
したがって、２回目のウォッシャスイッチ２１のオン操作時も１回目のオン操作時と同様に、ウォッシャモータ１１は第２設定時間ｔ２の間、作動する。そして、ワイパモータ３０もこれに連動して所定の遅れ時間の後に作動を開始し、ウォッシャモータ１１の作動終了から所定回数の作動後に停止する。
【００４９】
図４は、１回目のウォッシャスイッチ２１のオン操作から設定間隔時間Ｔｓ（５分）が経過する前に２回目のＯＮ操作が行われた状況を示している。この場合、１回目のウォッシャスイッチ２１のオン操作に応じて、ウォッシャモータ１１は第２設定時間ｔ２（０．５秒）だけ作動し、洗浄液を第２設定時間ｔ２の間、噴射する。そして、これに連動して、ワイパモータ３０がウォッシャモータ１１の作動開始からわずかに遅れて作動を開始し、ウォッシャモータ１１の作動終了から所定回数の往復払拭動作後に作動を停止する。
【００５０】
一方、ウォッシャスイッチ２１の２回目のオン操作は、１回目のオン操作に対応するオフ操作時から設定時間Ｔｓ（５分）の経過前に行われている。したがって、２回目のウォッシャスイッチ２１のオン操作時は、１回目のオン操作時とは異なり、ウォッシャモータ１１は第１設定時間ｔ１（０．２秒）の間、作動する。そして、ワイパモータ３０もこれに連動して所定の遅れ時間の後に作動を開始し、ウォッシャモータ１１の作動終了から所定回数の作動後に停止する。
【００５１】
図５は、ワイパスイッチ６０が作動位置にあるとき（すなわち、ワイパモータ３０の作動中）に、ウォッシャスイッチ２１が２回、オン操作された状況を示している。この場合、１回目，２回目のウォッシャスイッチ２１のオン操作に応じて、２回目のウォッシャスイッチ２１のオン操作が設定間隔時間Ｔｓを経過後にされたか否かに関係無く、それぞれウォッシャモータ１１は第３設定時間ｔ３（０．２秒）だけ作動し、洗浄液を第３設定時間ｔ３の間、噴射する。そして、これに連動して、ワイパモータ３０がウォッシャモータ１１の作動開始からわずかに遅れて作動を開始し、ウォッシャモータ１１の作動終了から所定回数の往復払拭動作後に作動を停止する。
なお、本実施形態では、第１設定時間ｔ１と第３設定時間ｔ３は、第２設定時間ｔ２の０．５秒よりも短い時間の０．２秒と同じ設定時間としたが、第１設定時間ｔ１に対し第３設定時間ｔ３を短い時間に設定してもよく、またその逆であってもよい。
【００５２】
次に、図６，図７に基づいて本例のウォッシャ駆動制御装置２０の処理フローおよび、ウォッシャ駆動制御装置２０の作動に連動するワイパ駆動制御装置５０の処理フローについて説明する。
まず、図６に基づいてウォッシャ駆動制御装置２０の処理フローを説明する。処理を開始すると、ウォッシャスイッチ判定手段２２は、ウォッシャスイッチ２１がオン操作されたか否かを判定する（ステップＳ１）。
【００５３】
ウォッシャスイッチ２１がオン操作されたとき（ステップＳ１；ＯＮ）は、ウォッシャスイッチ判定手段２２は噴射時間設定手段２４へウォッシャスイッチオン信号を出力する。また、時間Ｔｉｎｔを算出して、算出した時間Ｔｉｎｔが所定の設定間隔時間Ｔｓ以下の時間であれば、未経過信号を出力する。
一方、ウォッシャスイッチ２１がオン操作されていないとき（ステップＳ１；ＯＦＦ）は、オン操作の判定処理を繰り返す。
【００５４】
ウォッシャスイッチ２１がオン操作されたとき（ステップＳ１；ＯＮ）は、噴射時間設定手段２４は、オン操作が設定時間Ｔ０以内の短時間操作であるか否かを判定する（ステップＳ２）。
ウォッシャスイッチオン信号の継続時間が設定時間Ｔ０以内であったとき（ステップＳ２；ＹＥＳ）は、ワイパ作動判定手段２３はワイパスイッチ６０が停止位置にあるか否か（または作動位置に操作されたか否か）を判定する（ステップＳ３）。
【００５５】
ワイパスイッチ６０が停止位置にあるとき（ステップＳ３；ＹＥＳ）は、噴射時間設定手段２４は未経過信号を受け取っているか否かを判定する（ステップＳ４）。
未経過信号を受け取っているとき（ステップＳ４；ＹＥＳ）は、噴射時間設定手段２４は第１設定時間ｔ１（０．２秒）を噴射時間Ｔｓｐに設定し、噴射時間Ｔｓｐに応じた期間、作動信号をウォッシャモータ駆動手段２５へ出力する（ステップＳ５）。作動信号を受けたウォッシャモータ駆動手段２５は、この作動信号を受けている間中、ウォッシャモータ１１へ駆動電圧を供給する。これにより、ウォッシャモータ１１は第１設定時間ｔ１だけ作動して、洗浄液をウインドウガラス１へ向けて噴射する。ステップＳ５の処理を終了すると再びステップＳ１に戻る。
【００５６】
一方、未経過信号を受け取っていないとき（ステップＳ４；ＮＯ）は、噴射時間設定手段２４は第２設定時間ｔ２（０．５秒）を噴射時間Ｔｓｐに設定し、噴射時間Ｔｓｐに応じた期間、作動信号をウォッシャモータ駆動手段２５へ出力する（ステップＳ７）。作動信号を受けたウォッシャモータ駆動手段２５は、この作動信号を受けている間中、ウォッシャモータ１１へ駆動電圧を供給する。これにより、ウォッシャモータ１１は第２設定時間ｔ２だけ作動して、洗浄液をウインドウガラス１へ向けて噴射する。ステップＳ７の処理を終了すると再びステップＳ１に戻る。
【００５７】
ステップＳ３でワイパスイッチ６０が作動位置に操作されているとき（ステップＳ３；ＮＯ）は、噴射時間設定手段２４は第３設定時間ｔ３（０．２秒）を噴射時間Ｔｓｐに設定し、噴射時間Ｔｓｐに応じた期間、作動信号をウォッシャモータ駆動手段２５へ出力する（ステップＳ６）。作動信号を受けたウォッシャモータ駆動手段２５は、この作動信号を受けている間中、ウォッシャモータ１１へ駆動電圧を供給する。これにより、ウォッシャモータ１１は第３設定時間ｔ３だけ作動して、洗浄液をウインドウガラス１へ向けて噴射する。ステップＳ６の処理を終了すると再びステップＳ１に戻る。
【００５８】
ステップＳ２でウォッシャスイッチオン信号の継続時間が設定時間Ｔ０よりも長いとき（ステップＳ２；ＮＯ）は、ワイパ作動信号の有無にかかわらず、噴射時間設定手段２４は、ウォッシャスイッチオン信号を受けている間中（ステップＳ９；ＯＮ）、作動信号をウォッシャモータ駆動手段２５へ出力する（ステップＳ８）。これにより、ウォッシャモータ駆動手段２５は、ウォッシャモータ１１へ駆動電圧を供給し、ウォッシャモータ１１を継続して作動させる。
この継続作動中に噴射時間設定手段２４がウォッシャスイッチオン信号を受けなくなると（ステップＳ９；ＯＦＦ）、ウォッシャモータ駆動手段２５への作動信号の出力を停止して処理を終了する。これにより、ウォッシャモータ駆動手段２５は、ウォッシャモータ１１への駆動電圧の供給を停止し、ウォッシャモータ１１を停止させる。そして、再びステップＳ１に戻る。
【００５９】
次に、図７に基づいてワイパ駆動制御装置５０の処理フローを説明する。
処理を開始すると、ウォッシャ作動判定手段５３は、ウォッシャ駆動制御装置２０からウォッシャモータ１１へ駆動電圧が供給されているか否かを判定する（ステップＳ２１）。
ウォッシャモータ１１へ駆動電圧が供給されていないとき（ステップＳ２１；ＮＯ）は、この処理を繰り返す。一方、ウォッシャモータ１１へ駆動電圧が供給されたとき（ステップＳ２１；ＹＥＳ）は、所定遅れ時間の後にウォッシャ作動判定手段５３は、ワイパモータ駆動手段５１へオン信号を出力することにより、ワイパモータ駆動手段５１にワイパモータ本体３１を作動させる（ステップＳ２２）。
【００６０】
ワイパモータ本体３１の作動中、ウォッシャ作動判定手段５３は、ウォッシャモータ１１へ駆動電圧が供給されていることをモニターし、駆動電圧が供給されているとき（ステップＳ２３；ＮＯ）は、ワイパモータ本体３１の作動を継続させる。
一方、ウォッシャモータ１１へ駆動電圧が供給されなくなると（ステップＳ２３；ＹＥＳ）、ウォッシャ作動判定手段５３は、ウォッシャモータ１１へ駆動電圧が供給されなくなってから所定時間だけオン信号の出力を継続して処理を終了する（ステップＳ２４）。ウォッシャモータ１１への駆動電圧の停止後も所定時間オン信号が継続して出力されることにより、ワイパブレード４２によってさらに所定回数の往復払拭動作が行われる。ステップＳ２４の処理の後は、再びステップＳ２１へ戻る。
【００６１】
図７の処理によって、ワイパ駆動制御装置５０は、ウォッシャスイッチ２１がオン操作されたときには、所定時間遅れてワイパモータ本体３１を作動させ、ウォッシャモータ１１の作動停止後にさらに所定回数のワイパブレード４２による往復払拭動作を行わせることができる。したがって、ウォッシャスイッチ２１のオン操作の時間間隔やオン操作の継続時間にかかわらず、ウォッシャモータ１１が作動するときには、この作動に連動してワイパモータ本体３１が所定の作動を行う。
【００６２】
上記実施形態では、ウォッシャスイッチ２１のオフ操作から次のオン操作までの時間Ｔｉｎｔが設定時間Ｔ０以下か、設定時間Ｔ０を超えているかによって２段階で噴射時間Ｔｓｐを設定しているが、これに限らず、例えば、時間Ｔｉｎｔの長さに反比例して噴射時間Ｔｓｐを設定するように構成してもよい。
【００６３】
また、上記実施形態では、ウォッシャスイッチ２１はオフ操作位置とオン操作位置のみを有しており、オン操作位置に所定時間（Ｔ０）を超えて継続操作されたときに洗浄液を連続噴射させるように構成されていたが、ウォッシャスイッチ２１の構成はこれに限られるものではない。
例えば、ウォッシャスイッチ２１はオン操作位置として、短時間（通常）噴射指令位置と連続噴射指令位置の２段階の操作位置を有していてもよい。このような２段階操作スイッチ構成としては、ウォッシャスイッチ２１を軽く押したり引いたりする浅い動作をしたときに短時間（通常）噴射指令位置にオン操作され、強く押したり引いたりする深い操作をしたときに連続噴射指令位置にオン操作されるように構成することができる。
この場合、短時間噴射指令位置にオン操作したときには、このオン操作の継続時間に関係なく、前回のオフ操作からの経過時間に応じて噴射時間設定手段２４が噴射時間Ｔｓｐに第１設定時間ｔ１または第２設定時間ｔ２（ワイパモータ３０作動中には第３設定時間ｔ３）を設定し、連続噴射指令位置にオン操作されたときには、オン操作の時間に応じて噴射時間設定手段２４が噴射時間Ｔｓｐを設定するように構成することができる。
【図面の簡単な説明】
【００６４】
【図１】本発明の一実施形態に係る車両用ウインドウウォッシャ装置の構成図である。
【図２】ウォッシャ駆動制御装置の構成図である。
【図３】車両用ウインドウウォッシャ装置の作動のタイミングチャートである。
【図４】車両用ウインドウウォッシャ装置の作動のタイミングチャートである。
【図５】車両用ウインドウウォッシャ装置の作動のタイミングチャートである。
【図６】ウォッシャ駆動制御装置の処理フローである。
【図７】ワイパ駆動制御装置の処理フローである。
【符号の説明】
【００６５】
１‥ウインドウガラス、２‥払拭面、１１‥ウォッシャモータ、
１２‥ウォッシャタンク、１３‥ホース、１４‥ウォッシャノズル、
２０‥ウォッシャ駆動制御装置、２１‥ウォッシャスイッチ、２１ａ，２１ｂ‥接点、
２２‥ウォッシャスイッチ判定手段、２３‥ワイパ作動判定手段、
２４‥噴射時間設定手段、２５‥ウォッシャモータ駆動手段、
３０‥ワイパモータ、３１‥ワイパモータ本体、３１ａ，３１ｂ‥ブラシ、
３２‥ワイパ定位置停止スイッチ、３２ａ，３２ｂ，３２ｃ‥接点、
３３‥過熱保護素子、３４‥チョークコイル、４０‥ワイパ、４１‥ワイパアーム、
４２‥ワイパブレード、４３‥ピボット軸、４４‥リンク機構、
５０‥ワイパ駆動制御装置、５０ａ〜５０ｉ‥端子、５１‥ワイパモータ駆動手段、
５２‥間欠駆動手段、５３‥ウォッシャ作動判定手段、６０‥ワイパスイッチ、
６０ａ〜６０ｃ‥接点、７０‥ヒューズ、７１‥イグニッションスイッチ、
７２‥車載バッテリ、Ａ‥第１位置（停止位置）、Ｂ‥第２位置、
ｔ１‥第１設定時間、ｔ２‥第２設定時間、ｔ３‥第３設定時間、
Ｗ‥車両用ウインドウウォッシャ装置
【図１】
2007045187.tif 000003
【図２】
2007045187.tif 000004
【図３】
2007045187.tif 000005
【図４】
2007045187.tif 000006
【図５】
2007045187.tif 000007
【図６】
2007045187.tif 000008
【図７】
2007045187.tif 000009